(57)【要約】【課題】  ケーブルの共通化が図れ、生産性が良く、安価なアンテナ装置を提供する。【解決手段】  本発明のアンテナ装置において、ケース１は、ケーブル１２をケース１外に導出するための導出口２ａ、３ａと、この導出口２ａ、３ａに隣接した状態で、内部に設けられたケーブル収容部とを有し、ケーブル収容部２ｃ、３ｃには、ケース１内におけるケーブル１２の長さを変更できるように、ケーブル１の弛み部分１２ｃを収容可能としたため、ケーブル収容部２ｃ、３ｃ内でのケーブル１２の収納長さを変更できて、ケース１からコネクタ１３までのケーブル１２の長さが変更できるようになり、従って、１本のケーブルで種々の電子機器に対応することができて、ケーブルの共通化が図れ、生産性が良く、安価なものが得られる。【選択図】        図４
2005175727.tif 000002
【特許請求の範囲】
【請求項１】
一面側にアンテナ素子が設けられた回路基板、及び所望の電気回路を形成するために、前記回路基板の他面側に搭載された電子部品を有したアンテナ本体部と、このアンテナ本体部を内部に収納するケースと、前記アンテナ本体部に取り付けられ、前記ケース外に導出されたケーブルとを備え、前記ケースは、前記ケーブルを前記ケース外に導出するための導出口と、この導出口に隣接した状態で、内部に設けられたケーブル収容部とを有し、前記ケーブル収容部には、前記ケース内における前記ケーブルの長さを変更できるように、前記ケーブルの弛み部分を収容可能としたことを特徴とするアンテナ装置。
【請求項２】
前記アンテナ本体部におけるケーブル取付部と前記導出口が互いに対向する位置に配置されたことを特徴とする請求項１記載のアンテナ装置。
【請求項３】
前記ケースには、前記ケーブルを掛け止めするための係止部が前記ケーブル収容部に設けられたことを特徴とする請求項１、又は２記載のアンテナ装置。
【請求項４】
前記ケーブルは、前記導出口で保持されて、前記ケーブル収容部内に位置する前記ケーブルの弛み部分の引出が阻止されたことを特徴とする請求項１から３の何れかに記載のアンテナ装置。
【発明の詳細な説明】
【技術分野】
【０００１】
本発明はＧＰＳアンテナ等に適用して好適なアンテナ装置に関する。
【背景技術】
【０００２】
図８は、従来のアンテナ装置の要部断面図を示し、この図８に基づいて従来のアンテナ装置の構成を説明すると、合成樹脂材からなるケース５１は、上下に２分割された上ケース５２と、下ケース５３とで構成されている。
【０００３】
この上ケース５２は、下面中央部に設けられた凹状の収納部５２ａと、前方部に設けられた導出口５２ｂを有し、また、下ケース５３は、上面中央部に設けられた凹状の収納部５３ａと、前方部に設けられた導出口５３ｂを有する。
この上、下ケース５２，５３は、収納部５２ａ、５３ａと導出口５２ｂ、５３ｂが合わされた状態で、両者が適宜手段によって結合されて、ケース５１が構成されている。
【０００４】
アンテナ本体部５４は、回路基板５５と、この回路基板５５の一面側に配置されたパッチ型のアンテナ素子５６と、回路基板５５の他面側に配置され、所望の電気回路を形成する電子部品５７と、この電子部品５７を覆うように、回路基板５５の他面側に取り付けられたシールドカバー５８とで構成され、このアンテナ本体部５４は、ケース５１の収納部５２ａ、５３ａ内に収納されている。
【０００５】
ゴム等の弾性材からなるパッキン材５９は、上、下ケース５２，５３の合わせ部に介在されて、ケース５１内を密封している。
また、ケーブル６０の一端側には、電子機器に接続されるコネクタ６１が接続されると共に、ケーブル６０の他端側は、パッキン材５９に保持された状態でケース５１内に挿入され、ケーブル６０の芯線６０ａが電気回路に接続されて、従来のアンテナ装置が形成されている。（例えば、特許文献１参照）
【０００６】
しかし、このような従来のアンテナ装置は、種々の電子機器に対応するために、長さの異なる種々のケーブル６０が用意され、異なる電子機器毎に、長さの異なるケーブル６０をアンテナ本体部５４に接続するものであった。
このため、長さの異なる種々のケーブル６０を必要として、ケーブル６０の共通化が図れず、生産性が悪くなるばかりか、コスト高になる。
【０００７】
【特許文献１】特開平９−１６７９０８号公報
【発明の開示】
【発明が解決しようとする課題】
【０００８】
従来のアンテナ装置は、種々の電子機器に対応するために、長さの異なる種々のケーブル６０が用意され、異なる電子機器毎に、長さの異なるケーブル６０をアンテナ本体部５４に接続するものであるため、長さの異なる種々のケーブル６０を必要として、ケーブル６０の共通化が図れず、生産性が悪くなるばかりか、コスト高になるという問題がある。
【０００９】
そこで、本発明はケーブルの共通化が図れ、生産性が良く、安価なアンテナ装置を提供することを目的とする。
【課題を解決するための手段】
【００１０】
上記課題を解決するための第１の解決手段として、一面側にアンテナ素子が設けられた回路基板、及び所望の電気回路を形成するために、前記回路基板の他面側に搭載された電子部品を有したアンテナ本体部と、このアンテナ本体部を内部に収納するケースと、前記アンテナ本体部に取り付けられ、前記ケース外に導出されたケーブルとを備え、前記ケースは、前記ケーブルを前記ケース外に導出するための導出口と、この導出口に隣接した状態で、内部に設けられたケーブル収容部とを有し、前記ケーブル収容部には、前記ケース内における前記ケーブルの長さを変更できるように、前記ケーブルの弛み部分を収容可能とした構成とした。
【００１１】
また、第２の解決手段として、前記アンテナ本体部におけるケーブル取付部と前記導出口が互いに対向する位置に配置された構成とした。
また、第３の解決手段として、前記ケースには、前記ケーブルを掛け止めするための係止部が前記ケーブル収容部に設けられた構成とした。
また、第４の解決手段として、前記ケーブルは、前記導出口で保持されて、前記ケーブル収容部内に位置する前記ケーブルの弛み部分の引出が阻止された構成とした。
【発明の効果】
【００１２】
本発明のアンテナ装置は、一面側にアンテナ素子が設けられた回路基板、及び所望の電気回路を形成するために、回路基板の他面側に搭載された電子部品を有したアンテナ本体部と、このアンテナ本体部を内部に収納するケースと、アンテナ本体部に取り付けられ、ケース外に導出されたケーブルとを備え、ケースは、ケーブルをケース外に導出するための導出口と、この導出口に隣接した状態で、内部に設けられたケーブル収容部とを有し、ケーブル収容部には、ケース内におけるケーブルの長さを変更できるように、ケーブルの弛み部分を収容可能とした構成とした。
このように、ケースには、ケーブルの弛み部分を収容できるケーブル収容部が設けられているため、ケーブル収容部内でのケーブルの収納長さを変更できて、ケースからコネクタまでのケーブルの長さが変更できるようになり、従って、１本のケーブルで種々の電子機器に対応することができて、ケーブルの共通化が図れ、生産性が良く、安価なものが得られる。
【００１３】
また、アンテナ本体部におけるケーブル取付部と導出口が互いに対向する位置に配置されたため、ケースへのアンテナ本体部の取付位置を一定に出来て、生産性の良好なものが得られる。
【００１４】
また、ケースには、ケーブルを掛け止めするための係止部がケーブル収容部に設けられたため、ケーブル収容部内に位置するケーブルの弛み部分の引出が係止部によって確実に阻止できる。
【００１５】
また、ケーブルは、導出口で保持されて、ケーブル収容部内に位置するケーブルの弛み部分の引出が阻止されたため、その構成が簡単で、生産性の良好なものが得られる。
【発明を実施するための最良の形態】
【００１６】
本発明のアンテナ装置の図面を説明すると、図１は本発明のアンテナ装置の第１実施例に係る要部断面図、図２は本発明のアンテナ装置の第１実施例に係り、上ケースを取り去った状態を示す平面図、図３は本発明のアンテナ装置の第１実施例に係る下ケースの平面図である。
【００１７】
また、図４は本発明のアンテナ装置の第１実施例に係り、上ケースを取り去った状態で、且つ、ケーブルに弛み部分を持たせた状態を示す平面図、図５は本発明のアンテナ装置の第２実施例に係る要部断面図、図６は本発明のアンテナ装置の第２実施例に係り、上ケースを取り去った状態を示す平面図、図７は本発明のアンテナ装置の第２実施例に係り、上ケースを取り去った状態で、且つ、ケーブルに弛み部分を持たせた状態を示す平面図である。
【００１８】
次に、本発明のアンテナ装置の第１実施例の構成を図１〜図４に基づいて説明すると、合成樹脂材からなるケース１は、上下に２分割された上ケース２と、下ケース３とで構成されている。
【００１９】
この上ケース２は、下面中央部に設けられた凹状の収納部２ａと、前方部に設けられた導出口２ｂと、導出口２ｂに隣接して設けられたケーブル収容部２ｃを有し、また、下ケース３は、上面中央部に設けられた凹状の収納部３ａと、前方部に設けられた導出口３ｂと、導出口３ｂに隣接して設けられたケーブル収容部３ｃと、このケーブル収容部３ｃ内に設けられた突起からなる複数の係止部３ｄを有する。
【００２０】
この上、下ケース２，３は、収納部２ａ、３ａと導出口２ｂ、３ｂ、及びケーブル収容部２ｃ、３ｃが合わされた状態で、両者がネジ４等の固定手段によって結合されて、ケース１が構成されている。
【００２１】
アンテナ本体部５は、回路基板６と、この回路基板６の一面側に配置され、誘電体７上に設けられたパッチ型のアンテナ素子８と、回路基板６の他面側に配置され、所望の電気回路を形成する電子部品９と、この電子部品９を覆った状態で、回路基板６の他面側に取り付けられたシールドカバー１０とで構成されている。
【００２２】
また、このような構成を有するアンテナ本体部５は、ケース１の収納部２ａ、３ａ内に収納された状態で、適宜手段によってケース１に取り付けられ、この時、誘電体７とアンテナ素子８は、上ケース２の収納部２ａ内に位置すると共に、回路基板６とシールドカバー１０は、下ケース３の収納部３ａ内に位置した状態となっている。
【００２３】
ゴム等の弾性材からなるパッキン材１１は、上、下ケース２，３の合わせ部である導出口２ｂ、３ｂに介在されて、ケース１内を密封している。
また、ケーブル１２の一端側には、電子機器に接続されるコネクタ１３が接続されると共に、ケーブル１２の他端側は、パッキン材１１に保持された状態でケース１内に挿入され、また、ケーブル１２は、シールドカバー１０の孔１０ａを通ってシールドカバー１０内に挿入され、ケーブル１２の芯線１２ａが電気回路に接続されている。
【００２４】
また、このケーブル１０は、同軸型ケーブルで構成され、芯線１２ａが電気回路に半田付けされた箇所、及び、同軸型ケーブルの外部導体１２ｂが孔１０ａの位置でシールドカバー１０に半田付けされた箇所がアンテナ本体部５に対するケーブル１２のケーブル取付部Ｔとなっている。
【００２５】
そして、ケーブル取付部Ｔが導出口２ｂ、３ｂと一直線上で対向した状態となると共に、ケーブル１２が導出口２ｂ、３ｂ間で保持されて、ケーブル収容部２ｃ、３ｃ内に位置するケーブル１２の引出が阻止されるようになって、本発明のアンテナ装置の第１実施例が形成されている。
【００２６】
また、図１，図２においては、ケーブル取付部Ｔと導出口２ｂ、３ｂとの間にあるケーブル１２は、一直線状となって余裕のない状態となっているため、ケース１とコネクタ１３との間のケーブル１２の長さは、最長の長さとなっている。
【００２７】
そして、図４は、アンテナ本体部５と導出口２ｂ、３ｂとの間に位置するケーブル１２に弛み部分１２ｃを持たせて、この弛み部分１２ｃを係止部３ｄに掛け止めした状態で、弛み部分１２ｃがケーブル収容部２ｃ、３ｃ内に収容された状態となっている。
【００２８】
即ち、ケーブル収容部２ｃ、３ｃは、弛み部分１２ｃの種々の長さのものが収容できるようになり、その結果、ケース１内におけるケーブル１２の長さを変更できるようになっている。
従って、ケーブル１２は、弛み部分１２ｃがケース１内に引き込まれるので、ケース１とコネクタ１３との間のケーブル１２の長さは、その分、短くなる。
【００２９】
このように、ケース１内での弛み部分１２ｃの引き込み量を変更することによって、ケース１とコネクタ１３との間のケーブル１２の長さを自由に変えることができるようになっている。
また、ケーブル１２は、係止部３ｄによる掛け止め、又は／及び導出口２ｂ、３ｂ間で保持されて、ケーブル収容部２ｃ、３ｃ内に位置するケーブル１２の引出が阻止されるようになっている。
【００３０】
また、図５〜図７は本発明のアンテナ装置の第２実施例を示し、この第２実施例は、第１実施例の係止部３ｄを削除したもので、その他の構成は、上記第１実施例と同様であるので、同一部品に同一番号を付し、ここではその説明を省略する。
【００３１】
そして、第２実施例の図５，図６は、ケーブル取付部Ｔと導出口２ｂ、３ｂとの間にあるケーブル１２は、一直線状となって余裕のない状態となっているため、ケース１とコネクタ１３との間のケーブル１２の長さは、最長の長さとなっている。
【００３２】
また、図７は、アンテナ本体部５と導出口２ｂ、３ｂとの間に位置するケーブル１２に弛み部分１２ｃを持たせて、この弛み部分１２ｃがケーブル収容部２ｃ、３ｃ内に収容された状態となっている。
即ち、ケーブル収容部２ｃ、３ｃは、弛み部分１２ｃの種々の長さのものが収容できるようになり、その結果、ケース１内におけるケーブル１２の長さを変更できるようになっている。
従って、ケーブル１２は、弛み部分１２ｃがケース１内に引き込まれるので、ケース１とコネクタ１３との間のケーブル１２の長さは、その分、短くなる。
【００３３】
このように、ケース１内での弛み部分１２ｃの引き込み量を変更することによって、ケース１とコネクタ１３との間のケーブル１２の長さを自由に変えることができるようになっている。
そして、ケーブル１２は、導出口２ｂ、３ｂ間で保持されて、ケーブル収容部２ｃ、３ｃ内に位置するケーブル１２の引出が阻止されるようになっている。
【図面の簡単な説明】
【００３４】
【図１】本発明のアンテナ装置の第１実施例に係る要部断面図。
【図２】本発明のアンテナ装置の第１実施例に係り、上ケースを取り去った状態を示す平面図。
【図３】本発明のアンテナ装置の第１実施例に係る下ケースの平面図。
【図４】本発明のアンテナ装置の第１実施例に係り、上ケースを取り去った状態で、且つ、ケーブルに弛み部分を持たせた状態を示す平面図。
【図５】本発明のアンテナ装置の第２実施例に係る要部断面図。
【図６】本発明のアンテナ装置の第２実施例に係り、上ケースを取り去った状態を示す平面図。
【図７】本発明のアンテナ装置の第２実施例に係り、上ケースを取り去った状態で、且つ、ケーブルに弛み部分を持たせた状態を示す平面図。
【図８】従来のアンテナ装置の要部断面図。
【符号の説明】
【００３５】
１：ケース
２：上ケース
２ａ：収納部
２ｂ：導出口
２ｃ：ケーブル収容部
３：下ケース
３ａ：収納部
３ｂ：導出口
３ｃ：ケーブル収容部
３ｄ：係止部
４：ネジ
５：アンテナ本体部
６：回路基板
７：誘電体
８：アンテナ素子
９：電子部品
１０：シールドカバー
１０ａ：孔
１１：パッキン材
１２：ケーブル
１２ａ：芯線
１２ｂ：外部導体
１３：コネクタ
Ｔ：ケーブル取付部
【図１】
2005175727.tif 000003
【図２】
2005175727.tif 000004
【図３】
2005175727.tif 000005
【図４】
2005175727.tif 000006
【図５】
2005175727.tif 000007
【図６】
2005175727.tif 000008
【図７】
2005175727.tif 000009
【図８】
2005175727.tif 000010